(57)【要約】【課題】  色を塗ったり、絵、線、文字等をかいたりすることのできる飲料容器を提供する。【解決手段】  飲料容器１の容器本体２に、地色が白色の塗り絵部４１を設けたラベル４を装着し、その塗り絵部４１の表面張力は３０ｄｙｎ／ｃｍ以上とする。ラベル４は、ポリスチレン系樹脂を使用したフィルムまたはポリエステル系樹脂を使用したフィルムからなるものであることが好ましい。【選択図】  図１
2005320042.tif 000002
【特許請求の範囲】
【請求項１】
描画用領域を有する樹脂製ラベルが装着されたことを特徴とする描画可能な飲料容器。
【請求項２】
前記樹脂製ラベルにおける描画用領域の表面張力が３０ｄｙｎ／ｃｍ以上であることを特徴とする請求項１に記載の描画可能な飲料容器。
【請求項３】
前記樹脂製ラベルが、ポリスチレン系樹脂を使用したフィルムまたはポリエステル系樹脂を使用したフィルムからなるものであることを特徴とする請求項１または２に記載の描画可能な飲料容器。
【請求項４】
前記描画用領域の地色が白色であることを特徴とする請求項１〜３のいずれか１項に記載の描画可能な飲料容器。
【請求項５】
前記描画用領域が塗り絵用の領域であることを特徴とする請求項１〜４のいずれか１項に記載の描画可能な飲料容器。
【発明の詳細な説明】
【技術分野】
【０００１】
本発明は、色を塗ったり、絵、線、文字等をかいたりすることのできる飲料容器に関するものである。
【背景技術】
【０００２】
飲料容器は、消費者が所望の時に所望の場所で飲めるように、飲料を収容保護するためのものであり、現在流通している飲料容器の表面には、飲料の商品名等を含むデザインの他、品名、原材料名、販売者等の必要情報が表示されているに過ぎない。
【０００３】
一方、ティッシュペーパー用箱は、ティッシュペーパーを収容するためのものであるが、特許文献１には、ティッシュペーパー用箱の表面に、塗り絵欄を設けたものが提案されている。
【特許文献１】特開平１１−１５７５８５号公報
【発明の開示】
【発明が解決しようとする課題】
【０００４】
しかしながら、ペットボトル等の飲料容器は、ティッシュペーパー用箱と異なり、何かを塗るまたはかく対象として考えられておらず、上記のような提案は一切されていなかった。
【０００５】
本発明は、このような実状に鑑みてなされたものであり、色を塗ったり、絵、線、文字等をかいたりすることのできる飲料容器を提供することを目的とする。
【課題を解決するための手段】
【０００６】
上記目的を達成するために、第１に本発明は、描画用領域を有する樹脂製ラベルが装着されたことを特徴とする描画可能な飲料容器を提供する（請求項１）。
【０００７】
ここで、本明細書における「描画」の語には、絵を描くことだけでなく、色を塗ることや、線や文字等を書くことも含まれるものとする。また、「描画用領域」とは、描画することを目的として設けられる領域をいい、描画は可能であっても描画することを目的としない領域を除くものである。
【０００８】
上記発明（請求項１）に係る飲料容器においては、描画用領域に色を塗ったり、絵、線、文字等をかいたりすることができる。
【０００９】
上記発明（請求項１）においては、前記樹脂製ラベルにおける描画用領域の表面張力が３０ｄｙｎ／ｃｍ以上であることが好ましい（請求項２）。
【００１０】
上記発明（請求項２）によれば、描画用領域の濡れ性が高いものとなり、鉛筆、色鉛筆、クレヨン、パステル等の着色粒子やペン、マーカー等のインクが描画用領域に定着し易く、描画用領域が所望の色を塗ったり、絵、線、文字等をかいたりするのに好適な表面状態となる。
【００１１】
上記発明（請求項１,２）においては、前記樹脂製ラベルが、ポリスチレン系樹脂を使用したフィルムまたはポリエステル系樹脂を使用したフィルムからなるものであることが好ましい（請求項３）。これらの樹脂フィルムは、通常、表面張力が３０ｄｙｎ／ｃｍ以上であり、したがって、特別な処理を施さなくても描画に好適な表面状態を有する。
【００１２】
上記発明（請求項１〜３）においては、前記描画用領域の地色が白色であることが好ましい（請求項４）。このように描画用領域の地色が白色であることにより、塗った色またはかいた絵、線、文字等の色の発色が良く、所望の色での表現が容易なものとなる。
【００１３】
上記発明（請求項１〜４）においては、前記描画用領域が塗り絵用の領域であってもよい（請求項５）。かかる飲料容器はエンターテイメント性が高く、容器自体の付加価値が大きなものとなる。
【発明の効果】
【００１４】
本発明の飲料容器によれば、描画用領域に色を塗ったり、絵、線、文字等をかいたりすることができるため、容器自体に付加価値を与え、需要者の飲料に対する購買意欲を向上させることができる。
【発明を実施するための最良の形態】
【００１５】
以下、本発明の実施形態について説明する。
図１は、本発明の一実施形態に係る飲料容器の正面図である。
【００１６】
図１に示すように、本実施形態に係る飲料容器１は、容器本体２とキャップ３とラベル４とから構成される。
【００１７】
容器本体２は、通常市場において使用される樹脂製の容器、例えばポリエチレンテレフタレート製の容器であり、キャップ３が取り付けられる口部２１と、口部２１に連続し下方にかけて漸次拡径する肩部２２と、肩部２２に連続する略円筒状の胴部２３と、胴部２３に連続して下方にかけて若干縮径する底部２４とを有する。本実施形態では、容器本体２の胴部２３は、凹凸の少ない円筒状であるのが好ましい。
【００１８】
ラベル４は、熱収縮性を有する樹脂フィルムを裁断後円筒状にして容器本体２に被せ、熱収縮によって容器本体２に装着したものである。本実施形態では、ラベル４の上端は容器本体２の肩部２２の高さ方向中間部に位置し、ラベル４の下端は容器本体２の底部２４の高さ方向中間部に位置している。
【００１９】
このラベル４において、容器本体２の胴部２３に対応する領域より若干小さい領域には、絵模様がその輪郭によって表示された塗り絵部４１が設けられており、飲料容器１に対して塗り絵を行うことが可能となっている。
【００２０】
本実施形態では、塗り絵部４１の地は白色、絵模様の輪郭は黒色となっている。塗り絵部４１の地が白色であることにより、塗り絵部４１に塗った色の発色が良く、所望の色での表現が容易なものとなる。
【００２１】
ラベル４における少なくとも塗り絵部４１の表面張力は、３０ｄｙｎ／ｃｍ以上であることが好ましく、特に３４〜３６ｄｙｎ／ｃｍであることが好ましい。塗り絵部４１がこのような表面張力を有することにより、塗り絵部４１の濡れ性が高いものとなり、鉛筆、色鉛筆、クレヨン、パステル等の着色粒子やペン、マーカー等のインク（油性インクおよび水性インクのいずれも含む。）が塗り絵部４１に定着し易く、塗り絵部４１が塗り絵を行うのに好適な表面状態となる。
【００２２】
上記のような表面張力を有するラベル４の材料としては、ポリスチレン系樹脂を使用したフィルムまたはポリエステル系樹脂を使用したフィルムが好ましい。ポリスチレン系樹脂を使用したフィルムとしては、ニ軸延伸ポリスチレン（ＯＰＳ）フィルムが好ましく、ポリエステル系樹脂を使用したフィルムとしては、ポリエチレンテレフタレート（ＰＥＴ）フィルムが好ましい。これらの樹脂フィルムは、通常、表面張力が３０ｄｙｎ／ｃｍ以上であり、したがって、特別な処理を施さなくても描画に好適な表面状態を有する。
【００２３】
樹脂フィルムは、それ自体白色を呈するものであれば、白色（塗り絵部４１の地色）の印刷を必要としないため、上記樹脂フィルムの中でも、白色の樹脂フィルムを用いることが好ましい。そのような白色の樹脂フィルムとしては、樹脂中に酸化チタン粒子を練り込んでなる乳白色ポリエステル系樹脂を使用したフィルムを用いることが特に好ましい。
【００２４】
上記樹脂フィルムからなるラベル４（塗り絵部４１）に印刷を施す場合には、ラベル４の裏面側（容器本体２側）に印刷を施すのが好ましい。このように印刷を施すことにより、樹脂フィルムの表面は印刷の影響を受けず、塗り絵を行うのに好適な表面状態を維持することができる。ただし、印刷層の表面が上記表面張力を有する場合には、ラベル４の表面側に印刷を施してもよく、その場合にはラベル４の材料および樹脂フィルムの表面張力は上記に限定されない。
【００２５】
本実施形態に係る飲料容器１によれば、その塗り絵部４１に塗り絵を施すことができ、かかるエンターテイメント性によって、需要者の飲料に対する購買意欲を向上させることができる。
【００２６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００２７】
例えば、上記実施形態に係る飲料容器１では、ラベル４に塗り絵部４１が設けられているが、塗り絵部４１の替わりに、迷路、クロスワードパズル、詰め将棋、囲碁、ナンバープレイス等のエンターテイメント部が設けられてもよい。また、飲料容器１のラベル４は、容器本体２の胴部２３の全体ではなく一部に設けられてもよいし、容器本体２は樹脂製の容器に限定されるものではなく、いかなる材料からなるものであってもよい。
【産業上の利用可能性】
【００２８】
本発明に係る飲料容器は、需要者に飲料に対する購買意欲を向上させることのできる飲料容器として有用である。
【図面の簡単な説明】
【００２９】
【図１】本発明の一実施形態に係る飲料容器の正面図である。
【符号の説明】
【００３０】
１…飲料容器
４…ラベル
４１…塗り絵部（描画用領域）
【図１】
2005320042.tif 000003